(57)【要約】      （修正有）【課題】電子辞書装置において、辞書情報表示画面およびテキストビューア画面の何れを対象としていても、ユーザ所望のジャンプ検索処理を操作性よく快適に実行する。【解決手段】メイン画面17に辞書情報表示画面Ｇｖが表示された状態でメイン画面17およびサブ画面16に、また、メイン画面17にブック/テキストビューア画面Ｇｖが表示された状態でサブ画面16にだけ、前記各画面Ｇｖにて指定表示hさせた検索文字列のジャンプ検索先の辞書を、前回使用した辞書にする[前回辞書]アイコン,ユーザにより選択した辞書にする[辞書選択]アイコン,簡約辞書にする[ミニ辞書]アイコンＢｍ"Ｈ"からなるジャンプモードアイコンＢＪを表示させる。前回辞書や選択辞書によるジャンプ検索結果は通常の辞書検索処理と同様に表示され、簡約辞書によりジャンプ検索された簡約説明情報は前記各画面Ｇｖ上にミニ辞書ウインドウＷｍとして表示される。【選択図】図１２
2011134301.tif 000002
【特許請求の範囲】
【請求項１】
メイン画面とサブ画面を有する電子辞書装置であって、
見出し語と当該見出し語の説明情報とを対応付けて集録した検索可能文字種が異なる複数の通常辞書を記憶する通常辞書記憶手段と、
見出し語と当該見出し語の簡約化した説明情報とを対応付けて集録した検索可能文字種が異なる複数の簡約辞書を記憶する簡約辞書記憶手段と、
テキストを記憶するテキスト記憶手段と、
ユーザ操作に応じて入力された検索対象文字に対応する見出し語を前記通常辞書記憶手段により記憶された通常辞書の見出し語の中から検索し、当該検索された見出し語に対応する説明情報を前記メイン画面に表示させる辞書検索表示手段と、
ユーザ操作に応じて前記テキスト記憶手段により記憶されたテキストを前記メイン画面に表示させるテキスト表示手段と、
ユーザ操作に応じてジャンプ検索モードを設定するジャンプモード設定手段と、
前記辞書検索表示手段により見出し語に対応する説明情報が前記メイン画面に表示された状態で前記ジャンプ検索モードが設定された場合に、ジャンプ検索先の辞書を前記通常辞書記憶手段により記憶された通常辞書に指定するための通常辞書アイコンと前記簡約辞書記憶手段により記憶された簡約辞書に指定するための簡約辞書アイコンとを前記メイン画面およびサブ画面に表示させる第１のジャンプアイコン表示制御手段と、
前記テキスト表示手段によりテキストが前記メイン画面に表示された状態で前記ジャンプ検索モードが設定された場合に、前記通常辞書アイコンと簡約辞書アイコンとを前記サブ画面にだけ表示させる第２のジャンプアイコン表示制御手段と、
前記辞書検索表示手段により前記メイン画面に表示された説明情報の中、または前記テキスト表示手段により前記メイン画面に表示されたテキストの中から、ユーザ操作に応じて検索対象文字を指定する検索文字指定手段と、
この検索文字指定手段により指定された検索対象文字の文字種を判別する文字種判別手段と、
ユーザ操作に応じて前記通常辞書アイコンが選択された場合、前記検索文字指定手段により指定された検索対象文字に対応する見出し語を前記文字種判別手段により判別された文字種で検索可能な前記通常辞書の見出し語の中から検索し、当該検索された見出し語に対応する説明情報を前記メイン画面に表示させる通常辞書ジャンプ検索表示手段と、
ユーザ操作に応じて前記簡約辞書アイコンが選択された場合、前記検索文字指定手段により指定された検索対象文字に対応する見出し語を前記文字種判別手段により判別された文字種で検索可能な前記簡約辞書の見出し語の中から検索し、当該検索された見出し語に対応する説明情報を表示させる簡約辞書ジャンプ検索表示手段と、
を備えたことを特徴とする電子辞書装置。
【請求項２】
前記簡約辞書ジャンプ検索表示手段は、前記簡約辞書から検索された見出し語に対応する説明情報を、前記メイン画面に前記検索対象文字を表示させたままウインドウ表示させることを特徴とする請求項１に記載の電子辞書装置。
【請求項３】
前記簡約辞書ジャンプ検索表示手段は、前記簡約辞書から検索された見出し語に対応する説明情報を、前記サブ画面に表示されているアイコンと入れ替えて表示させることを特徴とする請求項１に記載の電子辞書装置。
【請求項４】
前記通常辞書アイコンは、ジャンプ検索先の辞書を、前記通常辞書記憶手段により記憶された複数の通常辞書のうち、前記通常辞書ジャンプ検索表示手段による前回の見出し語検索に伴い使用された通常辞書に指定するための前回辞書アイコンと、ユーザ操作に応じて選択された通常辞書に指定するための辞書選択アイコンとを含み、
前記通常辞書ジャンプ検索表示手段は、
ユーザ操作に応じて前記前回辞書アイコンが選択された場合、前記検索文字指定手段により指定された検索対象文字に対応する見出し語を前記文字種判別手段により判別された文字種で検索可能で且つ前記前回の見出し語検索に伴い使用された通常辞書の見出し語の中から検索し、当該検索された見出し語に対応する説明情報を前記メイン画面に表示させる前回辞書ジャンプ検索表示手段と、
ユーザ操作に応じて前記辞書選択アイコンが選択された場合、前記検索文字指定手段により指定された検索対象文字に対応する見出し語を前記文字種判別手段により判別された文字種で検索可能で且つ前記ユーザ操作に応じて選択された通常辞書の見出し語の中から検索し、当該検索された見出し語に対応する説明情報を前記メイン画面に表示させる選択辞書ジャンプ検索表示手段とを有する、
ことを特徴とする請求項１に記載の電子辞書装置。
【請求項５】
装置本体が縦置きかまたは横置きかを検出する本体向き検出手段を備え、
前記テキスト表示手段は、ユーザ操作に応じて前記テキスト記憶手段により記憶されたテキストを前記本体向き検出手段により検出された装置本体の向きに応じた形態で前記メイン画面に表示させ、
前記簡約辞書ジャンプ検索表示手段は、ユーザ操作に応じて前記簡約辞書アイコンが選択された場合、前記検索文字指定手段により指定された検索対象文字に対応する見出し語を前記文字種判別手段により判別された文字種で検索可能な前記簡約辞書の見出し語の中から検索し、当該検索された見出し語に対応する説明情報を前記メイン画面に前記本体向き検出手段により検出された装置本体の向きに応じた形態でウインドウ表示させる、
ことを特徴とする請求項１に記載の電子辞書装置。
【請求項６】
前記テキスト表示手段によりテキストが前記メイン画面に表示された状態で前記ジャンプ検索モードが設定された場合に、前記簡約辞書アイコンが選択された状態に強制的に設定する簡約辞書強制設定手段を備え、
前記簡約辞書ジャンプ検索表示手段は、前記簡約辞書強制設定手段により前記簡約辞書アイコンが選択された状態に強制的に設定された場合、およびユーザ操作に応じて前記簡約辞書アイコンが選択された場合に、前記検索文字指定手段により指定された検索対象文字に対応する見出し語を前記文字種判別手段により判別された文字種で検索可能な前記簡約辞書の見出し語の中から検索し、当該検索された見出し語に対応する説明情報を表示させる、
ことを特徴とする請求項１に記載の電子辞書装置。
【請求項７】
メイン画面とサブ画面を有する電子機器のコンピュータを制御するためのプログラムであって、
前記コンピュータを、
見出し語と当該見出し語の説明情報とを対応付けて集録した検索可能文字種が異なる複数の通常辞書をメモリに記憶させる通常辞書記憶手段、
見出し語と当該見出し語の簡約化した説明情報とを対応付けて集録した検索可能文字種が異なる複数の簡約辞書をメモリに記憶させる簡約辞書記憶手段、
テキストをメモリに記憶させるテキスト記憶手段、
ユーザ操作に応じて入力された検索対象文字に対応する見出し語を前記通常辞書記憶手段により記憶された通常辞書の見出し語の中から検索し、当該検索された見出し語に対応する説明情報を前記メイン画面に表示させる辞書検索表示手段、
ユーザ操作に応じて前記テキスト記憶手段により記憶されたテキストを前記メイン画面に表示させるテキスト表示手段、
ユーザ操作に応じてジャンプ検索モードを設定するジャンプモード設定手段、
前記辞書検索表示手段により見出し語に対応する説明情報が前記メイン画面に表示された状態で前記ジャンプ検索モードが設定された場合に、ジャンプ検索先の辞書を前記通常辞書記憶手段により記憶された通常辞書に指定するための通常辞書アイコンと前記簡約辞書記憶手段により記憶された簡約辞書に指定するための簡約辞書アイコンとを前記メイン画面およびサブ画面に表示させる第１のジャンプアイコン表示制御手段、
前記テキスト表示手段によりテキストが前記メイン画面に表示された状態で前記ジャンプ検索モードが設定された場合に、前記通常辞書アイコンと簡約辞書アイコンとを前記サブ画面にだけ表示させる第２のジャンプアイコン表示制御手段、
前記辞書検索表示手段により前記メイン画面に表示された説明情報の中、または前記テキスト表示手段により前記メイン画面に表示されたテキストの中から、ユーザ操作に応じて検索対象文字を指定する検索文字指定手段、
この検索文字指定手段により指定された検索対象文字の文字種を判別する文字種判別手段、
ユーザ操作に応じて前記通常辞書アイコンが選択された場合、前記検索文字指定手段により指定された検索対象文字に対応する見出し語を前記文字種判別手段により判別された文字種で検索可能な前記通常辞書の見出し語の中から検索し、当該検索された見出し語に対応する説明情報を前記メイン画面に表示させる通常辞書ジャンプ検索表示手段、
ユーザ操作に応じて前記簡約辞書アイコンが選択された場合、前記検索文字指定手段により指定された検索対象文字に対応する見出し語を前記文字種判別手段により判別された文字種で検索可能な前記簡約辞書の見出し語の中から検索し、当該検索された見出し語に対応する説明情報を表示させる簡約辞書ジャンプ検索表示手段、
として機能させるためのプログラム。
【発明の詳細な説明】
【技術分野】
【０００１】
本発明は、ジャンプ検索機能を備えた電子辞書装置およびその制御プログラムに関する。
【背景技術】
【０００２】
従来から電子辞書装置は、所望の見出し語に対応する説明情報を辞書データから読み出し説明情報表示画面として表示したり、所望の電子ブックを読み出しブックビューア画面として表示したりする機能を有している。
【０００３】
そして、前記説明情報表示画面やブックビューア画面において、任意の文字列を検索文字列として指定し、この検索文字列を、その場でユーザ選択される他の辞書データから見出し語検索してその説明情報を表示させることのできるジャンプ検索機能を搭載したものがある。
【０００４】
従来のジャンプ検索機能を備えた電子辞書装置において、説明情報の表示画面上で指定された任意の検索文字列の文字種に応じて、見出し語検索可能な辞書の種類を予め識別し、この識別された辞書の中で前回の見出し語検索により使用した辞書をジャンプ先の辞書として検索処理する。これにより、ジャンプ先辞書の選択画面からユーザが日頃使用している所望の辞書を一々選択し直す必要無しに、当該所望の辞書にてジャンプ検索可能なものがある（例えば、特許文献１参照。）。
【０００５】
また、テキストの表示画面上で指定された任意の単語の訳等の関連情報を、予め決められた辞書データからその場で検索し、当該表示画面上でウインドウにより表示させる電子辞書装置も考えられている（例えば、特許文献２参照。）。
【先行技術文献】
【特許文献】
【０００６】
【特許文献１】特開２００４−２９５６２６号公報
【特許文献２】特開平０９−０９１２９３号公報
【発明の概要】
【発明が解決しようとする課題】
【０００７】
近年の電子辞書装置では、辞書情報を表示する主要な表示画面（メイン画面）をタッチパネルにより構成すると共に、キーボードの側にも手書き文字などの入力が行えるタッチパネル式の表示画面（サブ画面）を備えたものがある。
【０００８】
前記従来のジャンプ検索機能を備えた電子辞書装置にも、このようなメイン画面とサブ画面とを有するものがあるが、これら２つのタッチパネル式の表示画面を従来は十分生かし切れてなく、ジャンプ検索においてより高い操作性の実現が望まれる。
【０００９】
本発明は、このような課題に鑑みなされたもので、辞書情報表示画面およびテキストビューア画面の何れを対象としていても、ユーザ所望のジャンプ検索処理を操作性よく快適に実行することが可能になる電子辞書装置およびその制御プログラムを提供することを目的とする。
【課題を解決するための手段】
【００１０】
請求項１に記載の電子辞書装置は、メイン画面とサブ画面を有する電子辞書装置であって、見出し語と当該見出し語の説明情報とを対応付けて集録した検索可能文字種が異なる複数の通常辞書を記憶する通常辞書記憶手段と、見出し語と当該見出し語の簡約化した説明情報とを対応付けて集録した検索可能文字種が異なる複数の簡約辞書を記憶する簡約辞書記憶手段と、テキストを記憶するテキスト記憶手段と、ユーザ操作に応じて入力された検索対象文字に対応する見出し語を前記通常辞書記憶手段により記憶された通常辞書の見出し語の中から検索し、当該検索された見出し語に対応する説明情報を前記メイン画面に表示させる辞書検索表示手段と、ユーザ操作に応じて前記テキスト記憶手段により記憶されたテキストを前記メイン画面に表示させるテキスト表示手段と、ユーザ操作に応じてジャンプ検索モードを設定するジャンプモード設定手段と、前記辞書検索表示手段により見出し語に対応する説明情報が前記メイン画面に表示された状態で前記ジャンプ検索モードが設定された場合に、ジャンプ検索先の辞書を前記通常辞書記憶手段により記憶された通常辞書に指定するための通常辞書アイコンと前記簡約辞書記憶手段により記憶された簡約辞書に指定するための簡約辞書アイコンとを前記メイン画面およびサブ画面に表示させる第１のジャンプアイコン表示制御手段と、前記テキスト表示手段によりテキストが前記メイン画面に表示された状態で前記ジャンプ検索モードが設定された場合に、前記通常辞書アイコンと簡約辞書アイコンとを前記サブ画面にだけ表示させる第２のジャンプアイコン表示制御手段と、前記辞書検索表示手段により前記メイン画面に表示された説明情報の中、または前記テキスト表示手段により前記メイン画面に表示されたテキストの中から、ユーザ操作に応じて検索対象文字を指定する検索文字指定手段と、この検索文字指定手段により指定された検索対象文字の文字種を判別する文字種判別手段と、ユーザ操作に応じて前記通常辞書アイコンが選択された場合、前記検索文字指定手段により指定された検索対象文字に対応する見出し語を前記文字種判別手段により判別された文字種で検索可能な前記通常辞書の見出し語の中から検索し、当該検索された見出し語に対応する説明情報を前記メイン画面に表示させる通常辞書ジャンプ検索表示手段と、ユーザ操作に応じて前記簡約辞書アイコンが選択された場合、前記検索文字指定手段により指定された検索対象文字に対応する見出し語を前記文字種判別手段により判別された文字種で検索可能な前記簡約辞書の見出し語の中から検索し、当該検索された見出し語に対応する説明情報を表示させる簡約辞書ジャンプ検索表示手段と、を備えたことを特徴としている。
【００１１】
請求項２に記載の電子辞書装置は、前記請求項１に記載の電子辞書装置において、前記簡約辞書ジャンプ検索表示手段は、前記簡約辞書から検索された見出し語に対応する説明情報を、前記メイン画面に前記検索対象文字を表示させたままウインドウ表示させることを特徴としている。
【００１２】
請求項３に記載の電子辞書装置は、前記請求項１に記載の電子辞書装置において、前記簡約辞書ジャンプ検索表示手段は、前記簡約辞書から検索された見出し語に対応する説明情報を、前記サブ画面に表示されているアイコンと入れ替えて表示させることを特徴としている。
【００１３】
請求項４に記載の電子辞書装置は、前記請求項１に記載の電子辞書装置において、前記通常辞書アイコンは、ジャンプ検索先の辞書を、前記通常辞書記憶手段により記憶された複数の通常辞書のうち、前記通常辞書ジャンプ検索表示手段による前回の見出し語検索に伴い使用された通常辞書に指定するための前回辞書アイコンと、ユーザ操作に応じて選択された通常辞書に指定するための辞書選択アイコンとを含み、前記通常辞書ジャンプ検索表示手段は、ユーザ操作に応じて前記前回辞書アイコンが選択された場合、前記検索文字指定手段により指定された検索対象文字に対応する見出し語を前記文字種判別手段により判別された文字種で検索可能で且つ前記前回の見出し語検索に伴い使用された通常辞書の見出し語の中から検索し、当該検索された見出し語に対応する説明情報を前記メイン画面に表示させる前回辞書ジャンプ検索表示手段と、ユーザ操作に応じて前記辞書選択アイコンが選択された場合、前記検索文字指定手段により指定された検索対象文字に対応する見出し語を前記文字種判別手段により判別された文字種で検索可能で且つ前記ユーザ操作に応じて選択された通常辞書の見出し語の中から検索し、当該検索された見出し語に対応する説明情報を前記メイン画面に表示させる選択辞書ジャンプ検索表示手段とを有する、ことを特徴としている。
【００１４】
請求項５に記載の電子辞書装置は、前記請求項１に記載の電子辞書装置において、装置本体が縦置きかまたは横置きかを検出する本体向き検出手段を備え、前記テキスト表示手段は、ユーザ操作に応じて前記テキスト記憶手段により記憶されたテキストを前記本体向き検出手段により検出された装置本体の向きに応じた形態で前記メイン画面に表示させ、前記簡約辞書ジャンプ検索表示手段は、ユーザ操作に応じて前記簡約辞書アイコンが選択された場合、前記検索文字指定手段により指定された検索対象文字に対応する見出し語を前記文字種判別手段により判別された文字種で検索可能な前記簡約辞書の見出し語の中から検索し、当該検索された見出し語に対応する説明情報を前記メイン画面に前記本体向き検出手段により検出された装置本体の向きに応じた形態でウインドウ表示させる、ことを特徴としている。
【００１５】
請求項６に記載の電子辞書装置は、前記請求項１に記載の電子辞書装置において、前記テキスト表示手段によりテキストが前記メイン画面に表示された状態で前記ジャンプ検索モードが設定された場合に、前記簡約辞書アイコンが選択された状態に強制的に設定する簡約辞書強制設定手段を備え、前記簡約辞書ジャンプ検索表示手段は、前記簡約辞書強制設定手段により前記簡約辞書アイコンが選択された状態に強制的に設定された場合、およびユーザ操作に応じて前記簡約辞書アイコンが選択された場合に、前記検索文字指定手段により指定された検索対象文字に対応する見出し語を前記文字種判別手段により判別された文字種で検索可能な前記簡約辞書の見出し語の中から検索し、当該検索された見出し語に対応する説明情報を表示させる、ことを特徴としている。
【００１６】
請求項７に記載のプログラムは、メイン画面とサブ画面を有する電子機器のコンピュータを制御するためのプログラムであって、前記コンピュータを、見出し語と当該見出し語の説明情報とを対応付けて集録した検索可能文字種が異なる複数の通常辞書をメモリに記憶させる通常辞書記憶手段、見出し語と当該見出し語の簡約化した説明情報とを対応付けて集録した検索可能文字種が異なる複数の簡約辞書をメモリに記憶させる簡約辞書記憶手段、テキストをメモリに記憶させるテキスト記憶手段、ユーザ操作に応じて入力された検索対象文字に対応する見出し語を前記通常辞書記憶手段により記憶された通常辞書の見出し語の中から検索し、当該検索された見出し語に対応する説明情報を前記メイン画面に表示させる辞書検索表示手段、ユーザ操作に応じて前記テキスト記憶手段により記憶されたテキストを前記メイン画面に表示させるテキスト表示手段、ユーザ操作に応じてジャンプ検索モードを設定するジャンプモード設定手段、前記辞書検索表示手段により見出し語に対応する説明情報が前記メイン画面に表示された状態で前記ジャンプ検索モードが設定された場合に、ジャンプ検索先の辞書を前記通常辞書記憶手段により記憶された通常辞書に指定するための通常辞書アイコンと前記簡約辞書記憶手段により記憶された簡約辞書に指定するための簡約辞書アイコンとを前記メイン画面およびサブ画面に表示させる第１のジャンプアイコン表示制御手段、前記テキスト表示手段によりテキストが前記メイン画面に表示された状態で前記ジャンプ検索モードが設定された場合に、前記通常辞書アイコンと簡約辞書アイコンとを前記サブ画面にだけ表示させる第２のジャンプアイコン表示制御手段、前記辞書検索表示手段により前記メイン画面に表示された説明情報の中、または前記テキスト表示手段により前記メイン画面に表示されたテキストの中から、ユーザ操作に応じて検索対象文字を指定する検索文字指定手段、この検索文字指定手段により指定された検索対象文字の文字種を判別する文字種判別手段、ユーザ操作に応じて前記通常辞書アイコンが選択された場合、前記検索文字指定手段により指定された検索対象文字に対応する見出し語を前記文字種判別手段により判別された文字種で検索可能な前記通常辞書の見出し語の中から検索し、当該検索された見出し語に対応する説明情報を前記メイン画面に表示させる通常辞書ジャンプ検索表示手段、ユーザ操作に応じて前記簡約辞書アイコンが選択された場合、前記検索文字指定手段により指定された検索対象文字に対応する見出し語を前記文字種判別手段により判別された文字種で検索可能な前記簡約辞書の見出し語の中から検索し、当該検索された見出し語に対応する説明情報を表示させる簡約辞書ジャンプ検索表示手段、として機能させることを特徴としている。
【発明の効果】
【００１７】
本発明によれば、辞書情報表示画面およびテキストビューア画面の何れを対象としていても、ユーザ所望のジャンプ検索処理を操作性よく快適に実行することが可能になる電子辞書装置およびその制御プログラムを提供できる。
【図面の簡単な説明】
【００１８】
【図１】本発明の辞書機能を備えた電子機器の実施形態に係る電子辞書装置１０の外観構成を示す正面図。
【図２】前記電子辞書装置１０の電子回路の構成を示すブロック図。
【図３】前記電子辞書装置１０のメモリ２２に確保されたジャンプ先辞書テーブルメモリ２２ｈの内容を示す図。
【図４】前記電子辞書装置１０のメモリ２２に確保された前回ジャンプ辞書メモリ２２ｉの内容を示す図。
【図５】前記電子辞書装置１０による情報表示処理を示すフローチャート（その１）。
【図６】前記電子辞書装置１０による情報表示処理を示すフローチャート（その２）。
【図７】前記電子辞書装置１０による情報表示処理を示すフローチャート（その３）。
【図８】前記電子辞書装置１０の情報表示処理に伴うタッチパネル式カラー表示部（メイン画面）１７および手書き入力部（サブ画面）１６の表示動作（その１）を示す図。
【図９】前記電子辞書装置１０の情報表示処理に伴うタッチパネル式カラー表示部（メイン画面）１７および手書き入力部（サブ画面）１６の表示動作（その２）を示す図。
【図１０】前記電子辞書装置１０の情報表示処理に伴うタッチパネル式カラー表示部（メイン画面）１７および手書き入力部（サブ画面）１６の表示動作（その３）を示す図。
【図１１】前記電子辞書装置１０の情報表示処理に伴うタッチパネル式カラー表示部（メイン画面）１７および手書き入力部（サブ画面）１６の表示動作（その４）を示す図。
【図１２】前記電子辞書装置１０の情報表示処理に伴うタッチパネル式カラー表示部（メイン画面）１７および手書き入力部（サブ画面）１６の表示動作（その５）を示す図。
【図１３】前記電子辞書装置１０の情報表示処理に伴うタッチパネル式カラー表示部（メイン画面）１７および手書き入力部（サブ画面）１６の表示動作（その６）を示す図。
【図１４】前記電子辞書装置１０の情報表示処理に伴うタッチパネル式カラー表示部（メイン画面）１７および手書き入力部（サブ画面）１６の表示動作（その７）を示す図。
【図１５】前記電子辞書装置１０の情報表示処理に伴うブック／テキストビューアモードからの他の実施形態のジャンプ辞書検索に応じたタッチパネル式カラー表示部（メイン画面）１７および手書き入力部（サブ画面）１６の表示動作（その１）を示す図。
【図１６】前記電子辞書装置１０の情報表示処理に伴うブック／テキストビューアモードからの他の実施形態のジャンプ辞書検索に応じたタッチパネル式カラー表示部（メイン画面）１７および手書き入力部（サブ画面）１６の表示動作（その２）を示す図。
【図１７】前記電子辞書装置１０の情報表示処理に伴うブック／テキストビューアモードからの他の実施形態のジャンプ辞書検索に応じたタッチパネル式カラー表示部（メイン画面）１７および手書き入力部（サブ画面）１６の表示動作（その３）を示す図。
【図１８】前記電子辞書装置１０の情報表示処理に伴うブック／テキストビューアモードからの変形例のジャンプ辞書検索に応じたタッチパネル式カラー表示部（メイン画面）１７および手書き入力部（サブ画面）１６の表示動作を示す図。
【発明を実施するための形態】
【００１９】
以下図面により本発明の実施の形態について説明する。
【００２０】
図１は、本発明の辞書機能を備えた電子機器の実施形態に係る電子辞書装置１０の外観構成を示す正面図である。
【００２１】
この辞書機能を備えた電子機器は、以下に説明する電子辞書専用の携帯機器（電子辞書装置１０）として構成されるか、辞書機能を備えたＰＤＡ(personal digital assistants)、ＰＣ(personal computer)、携帯電話、電子ブック、携帯ゲーム機等として構成される。
【００２２】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、［ジャンプ］キー１４ｆ、スピーカ１５などを備えたキー入力部（キーボード）１４、および手書き入力部（サブ画面）１６が備えられる。
【００２３】
この手書き入力部（サブ画面）１６は、ユーザがペンや指等でタッチした位置を検出するタッチ位置検出装置と表示装置が一体となった構造であり、キー入力部１４の中央手前側において例えば２５６×６４ドットの液晶表示画面１６ｄに透明タッチパネル１６ｔを重ねて構成される。この手書き入力部（サブ画面）１６の入力領域は、必要に応じて、手書き文字を入力するための手書き文字（漢字）入力領域や各種機能のアイコン入力領域、あるいは各入力領域が混在する領域に切り替えられる。
【００２４】
そして、前記手書き入力部（サブ画面）１６が手書き文字入力領域に切り替えられた状態での手書き入力に伴う軌跡はその液晶表示画面１６ｄにエコーバックして表示される。
【００２５】
また蓋体ケース１２の表面には、そのほぼ全面を対象に例えば４８０×３２０ドットのバックライト付きのタッチパネル式カラー表示部（メイン画面）１７が設けられる。このタッチパネル式カラー表示部（メイン画面）１７も、前記手書き入力部（サブ画面）１６と同様に、ユーザがペンや指等でタッチした位置を検出するタッチ位置検出装置と表示装置が一体となった構造であり、カラー液晶表示画面１７ｄに透明タッチパネル１７ｔを重ねて構成される。
【００２６】
そして、前記タッチパネル式カラー表示部（メイン画面）１７の右端には、前記キー入力部１４における一部のキーの押下操作をタッチ操作により行うための、キー表記（例えば［訳／決定］キーＫＥや［ジャンプ］キーＫＪ）が固定印刷されたタッチキーエリア１７Ａが設けられる。
【００２７】
また、前記タッチパネル式カラー表示部（メイン画面）１７の左端には、動作モードに応じて実行可能な機能をタッチ操作により指定するための、各種のアイコンが表示されるタッチアイコンエリア１７Ｂが設けられる。
【００２８】
例えば所望の辞書の見出し語を検索し、その説明情報などを表示させた説明情報表示画面Ｇが前記タッチパネル式カラー表示部１７に表示される通常の辞書検索モードの場合、前記タッチアイコンエリア１７Ｂには、当該説明情報表示画面Ｇに表示されている説明情報のなかの任意の範囲をタッチでなぞってカラーマーカーにより識別表示させるためのマーカーモードを設定する［マーカー］アイコンＢＭ、ユーザ所望の辞書の見出し語をユーザ独自に分類して登録した単語帳を呼び出すための［単語帳］アイコンＢＴが表示される。
【００２９】
また、例えば図８（Ｂ）に示すように、前記説明情報表示画面Ｇに表示されている説明情報のなかの任意の文字列を指定表示ｈさせ、当該指定表示ｈされた文字列について他の辞書にジャンプして検索するジャンプ検索モード（［ジャンプ］キー１４ｆ（ＫＪ）により起動される）の場合、前記タッチアイコンエリア１７Ｂおよび前記手書き入力部（サブ画面）１６に、ジャンプモードアイコンＢＪが表示される。
【００３０】
このジャンプモードアイコンＢＪは、前記説明情報表示画面Ｇにて指定表示ｈされたジャンプ検索対象の文字列の文字種（漢字／かな／アルファベット）に応じて前回使用された辞書をジャンプ先の辞書に指定するための［前回辞書］アイコンＢｂ、同ジャンプ検索対象の文字列の文字種に応じて検索可能な辞書の中からユーザ所望の辞書をジャンプ先の辞書として選択するための［辞書選択］アイコンＢｓ、同ジャンプ検索対象の文字列の文字種に応じて予め用意されたミニ辞書（簡約辞書）をジャンプ先の辞書に指定するための［ミニ辞書］アイコンＢｍの３つのアイコンからなる。
【００３１】
なお、この電子辞書装置１０は、予め記憶されたブックデータやダウンロードされたテキストデータを、例えば図１２（Ｏ）に示すように、ブック／テキストビューワ画面Ｇｖとしてタッチパネル式カラー表示部１７に表示させることが可能である（ブック／テキストビューワモード）。
【００３２】
そして、前記ブック／テキストビューワ画面Ｇｖに表示されているブック／テキストデータのなかの任意の文字列を指定表示ｈさせ、当該指定表示ｈされた文字列について辞書にジャンプして検索することが可能である（ジャンプ検索モード）。
【００３３】
このブック／テキストビューワモードにおけるジャンプ検索モードでは、前記ジャンプモードアイコンＢＪは、手書き入力部（サブ画面）１６にのみ表示され、ブック／テキストビューワ画面Ｇｖが表示されるタッチパネル式カラー表示部１７には、ブック／テキストデータの表示量を可能な限り多く確保するためにタッチアイコンエリア１７Ｂそのものが表示されない。
【００３４】
図２は、前記電子辞書装置１０の電子回路の構成を示すブロック図である。
【００３５】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００３６】
ＣＰＵ２１は、メモリ（フラッシュＲＯＭ）２２内に予め記憶された装置制御プログラム、あるいはＲＯＭカードなどの外部記憶媒体２３から記憶媒体読み書き部２４を介して前記メモリ２２に読み込まれた装置制御プログラム、あるいはインターネットＮ上のＷｅｂサーバ（この場合はプログラムサーバ）から通信制御部２５を介して前記メモリ２２に読み込まれた装置制御プログラムに応じて、回路各部の動作を制御する。
【００３７】
前記メモリ２２に記憶された装置制御プログラムは、キー入力部１４、手書き入力部（サブ画面）１６、タッチパネル式カラー表示部（メイン画面）１７からのユーザ操作に応じた入力信号、あるいは通信制御部２５を介して接続されるインターネットＮ上の各Ｗｅｂサーバとの通信信号、あるいは記憶媒体読み書き部２４を介して外部接続されるＥＥＰＲＯＭ，ＲＡＭ，ＲＯＭなどのメモリ・カード（記憶媒体）２３との接続通信信号、あるいは加速度センサ２６により検出される装置本体の横置き／縦置きの検出信号に応じて起動される。
【００３８】
前記ＣＰＵ２１には、前記メモリ２２、記憶媒体読み書き部２４、通信制御部２５、加速度センサ２６、キー入力部１４、手書き入力部（サブ画面）１６、タッチパネル式カラー表示部（メイン画面）１７などが接続される。
【００３９】
メモリ２２に記憶される装置制御プログラムとしては、当該電子辞書装置１０の全体の動作を司るシステムプログラムや、通信制御部２５を介してインターネットＮ上の各Ｗｅｂサーバや図示しないユーザＰＣ(Personal Computer)などとデータ通信するための通信プログラムが記憶される。
【００４０】
また、辞書情報やブック／テキストデータの表示だけでなく、検索文字列の入力に応じて見出し語を検索する見出し語検索処理、検索された見出し語に対応した説明情報（訳語・意味内容など）の読み出し表示処理、表示された説明情報やブック／テキストデータの中のユーザ任意の文字列を指定し当該指定の文字列を他の辞書にジャンプして検索するためのジャンプ検索処理など、同メモリ２２内に記憶された辞書データベース２２ｂ〜２２ｅやブック／テキストデータ２２ｆ，２２ｇに基づく処理全般を制御するための各種情報表示制御プログラム２２ａが記憶される。
【００４１】
前記辞書データベース２２ｂ〜２２ｅとしては、日本語系辞書データベース２２ｂ、英語系辞書データベース２２ｃ、中国語系辞書データベース２２ｄ、ミニ辞書データベース２２ｅが、予めあるいはダウンロードされて記憶される。
【００４２】
日本語系辞書データベース２２ｂには、漢字／かなの見出し語に対応付けて日本語の説明情報が記述された［国語辞書］、漢字の見出し語に対応付けて日本語の説明情報が記述された［漢和辞書］、漢字／かな／アルファベットの見出し語に対応付けて日本語の説明情報が記述された［百科辞典］、かなの見出し語に対応付けて日本語の説明情報が記述された［カタカナ語辞書］などが記憶される。
【００４３】
英語系辞書データベース２２ｃには、アルファベットの見出し語に対応付けて日本語の説明情報が記述された［英和辞書］、アルファベットの見出し語に対応付けて英語の説明情報が記述された［英英辞書］、漢字／かなの見出し語に対応付けて英語の説明情報が記述された［和英辞書］などが記憶される。
【００４４】
中国語系辞書データベース２２ｄには、漢字／アルファベット（ピンイン）の見出し語に対応付けて日本語の説明情報が記述された［中日辞書］、漢字／かなの見出し語に対応付けて中国語の説明情報が記述された［日中辞書］、漢字／かな／アルファベットの見出し語に対応付けて固有名詞の説明情報が記述された［日中英固有名詞辞書］などが記憶される。
【００４５】
ミニ辞書データベース２２ｅには、前記［国語辞書］に記述された説明情報に含まれる括弧内の情報などを省略し主要な情報のみに簡約化した［国語ミニ辞書］、前記［英和辞書］に記述された説明情報に含まれる括弧内の情報などを省略し主要な情報のみに簡約化した［英和ミニ辞書］などが記憶される。
【００４６】
ブックデータ２２ｆとしては、英語や日本語で記述された［英語演説集］［世界文学集］［日本文学集］などが記憶される。
【００４７】
テキストデータ２２ｇとしては、種々のテキストデータＡ，Ｂ，…がダウンロードされて記憶される。
【００４８】
また、前記メモリ２２には、ジャンプ先辞書テーブルメモリ２２ｈ、前回ジャンプ辞書メモリ２２ｉ、ジャンプモードメモリ２２ｊが確保される。
【００４９】
図３は、前記電子辞書装置１０のメモリ２２に確保されたジャンプ先辞書テーブルメモリ２２ｈの内容を示す図である。
【００５０】
ジャンプ先辞書テーブルメモリ２２ｈには、前記辞書データベース２２ｂ〜２２ｄに記憶された各辞書のそれぞれに対応付けて、当該辞書により見出し語検索可能な文字種が記憶される。
【００５１】
このジャンプ先辞書テーブルメモリ２２ｈに記憶されたテーブルデータに基づき、説明情報表示画面Ｇ（図８（Ｂ）参照）やブック／テキストビューア画面Ｇｖ（図１２（Ｐ）参照）にて指定表示ｈさせた検索対象文字列の文字種に応じて見出し語検索可能なジャンプ先辞書を識別する。
【００５２】
図４は、前記電子辞書装置１０のメモリ２２に確保された前回ジャンプ辞書メモリ２２ｉの内容を示す図である。
【００５３】
前回ジャンプ辞書メモリ２２ｉには、ジャンプ検索モードにおいてジャンプ先辞書として使用された辞書の辞書名が、検索対象文字列の文字種毎にジャンプ検索処理の都度、更新されて記憶される。
【００５４】
この前回ジャンプ辞書メモリ２２ｉに記憶された各文字種毎の辞書名に基づき、新たなジャンプ検索モードにおいて指定表示ｈさせた検索対象文字列の文字種に対応して前回使用されたジャンプ先辞書を識別する。
【００５５】
ジャンプモードメモリ２２ｊには、前記ジャンプ検索モードの起動状態にてタッチパネル式カラー表示部（メイン画面）１７のタッチアイコンエリア１７Ｂや手書き入力部（サブ画面）１６に表示されるジャンプモードアイコンＢＪ（前回辞書アイコンＢｂ／辞書選択アイコンＢｓ／ミニ辞書アイコンＢｍ）に応じて選択されたジャンプモードの種類が記憶される。
【００５６】
次に、前記構成による電子辞書装置１０のジャンプ検索を伴う情報表示機能について説明する。
【００５７】
図５は、前記電子辞書装置１０による情報表示処理を示すフローチャート（その１）である。
【００５８】
図６は、前記電子辞書装置１０による情報表示処理を示すフローチャート（その２）である。
【００５９】
図７は、前記電子辞書装置１０による情報表示処理を示すフローチャート（その３）である。
【００６０】
図８は、前記電子辞書装置１０の情報表示処理に伴うタッチパネル式カラー表示部（メイン画面）１７および手書き入力部（サブ画面）１６の表示動作（その１）を示す図である。
【００６１】
図９は、前記電子辞書装置１０の情報表示処理に伴うタッチパネル式カラー表示部（メイン画面）１７および手書き入力部（サブ画面）１６の表示動作（その２）を示す図である。
【００６２】
図１０は、前記電子辞書装置１０の情報表示処理に伴うタッチパネル式カラー表示部（メイン画面）１７および手書き入力部（サブ画面）１６の表示動作（その３）を示す図である。
【００６３】
図１１は、前記電子辞書装置１０の情報表示処理に伴うタッチパネル式カラー表示部（メイン画面）１７および手書き入力部（サブ画面）１６の表示動作（その４）を示す図である。
【００６４】
図１２は、前記電子辞書装置１０の情報表示処理に伴うタッチパネル式カラー表示部（メイン画面）１７および手書き入力部（サブ画面）１６の表示動作（その５）を示す図である。
【００６５】
図１３は、前記電子辞書装置１０の情報表示処理に伴うタッチパネル式カラー表示部（メイン画面）１７および手書き入力部（サブ画面）１６の表示動作（その６）を示す図である。
【００６６】
図１４は、前記電子辞書装置１０の情報表示処理に伴うタッチパネル式カラー表示部（メイン画面）１７および手書き入力部（サブ画面）１６の表示動作（その７）を示す図である。
【００６７】
［辞書検索モードからのジャンプ辞書検索］
辞書指定キー１４ｂの押下操作によりユーザ所望の辞書が指定されると（ステップＳ１（Ｙｅｓ））、通常の辞書検索モードにセットされ（ステップＳ２）、辞書データベース２２ｂ〜２２ｄの中の指定の辞書が起動されると共に、検索文字列の入力画面がタッチパネル式カラー表示部１７に表示される（ステップＳ３）。
【００６８】
この検索文字列の入力画面において、文字入力キー１４ａの押下操作によりユーザ所望の検索文字列が入力されて表示されると（ステップＳ４）、この入力された検索文字列と前方一致する見出し語が前記指定の辞書から検索され、検索された見出し語が一覧にしてタッチパネル式カラー表示部１７の見出し語一覧エリアＬｍ（例えば図１０（Ｋ）参照）に表示される（ステップＳ５）。
【００６９】
すると、前記見出し語一覧エリアＬｍに一覧表示された検索見出し語のうちカーソルＣｕにより指定された見出し語の説明情報が前記指定の辞書から読み出され、タッチパネル式カラー表示部１７のプレビューエリアＶｐ（例えば図１０（Ｋ）参照）にプレビュー表示される（ステップＳ６）。
【００７０】
そして、ユーザによるカーソルＣｕの移動操作に応じて所望の検索見出し語が選択され、［訳／決定］キー１４ｃ（ＫＥ）が押下（タッチ）操作されると（ステップＳ７）、当該選択された見出し語に対応して前記指定の辞書から読み出された説明情報が、タッチパネル式カラー表示部１７の全画面に展開されてなる説明情報表示画面Ｇ（例えば図１０（Ｌ）参照）として表示される（ステップＳ８）。
【００７１】
前記ステップＳ１〜Ｓ８の辞書検索処理に従い、例えば図８（Ａ）に示すように、日本語系辞書データベース２２ｂとして記憶されている［国語大辞典］から検索された見出し語「エーペック［ＡＰＥＣ］」に対応する説明情報表示画面Ｇがタッチパネル式カラー表示部（メイン画面）１７に表示された状態で、その説明情報の中の任意の文字列について他の辞書へジャンプして検索するために、［ジャンプ］キー１４ｆ（ＫＪ）が押下（タッチ）操作されると（ステップＳ９（Ｙｅｓ））、通常の辞書検索モードか否か判断される（ステップＳ１０）。
【００７２】
ここで、通常の辞書検索モードであると判断されると（ステップＳ１０（Ｙｅｓ））、図８（Ｂ）に示すように、タッチパネル式カラー表示部１７（以下「メイン画面１７」と称す）のタッチアイコンエリア１７Ｂおよび手書き入力部１６（以下「サブ画面１６」と称す）にジャンプモードアイコンＢＪ（前回辞書アイコンＢｂ／辞書選択アイコンＢｓ／ミニ辞書アイコンＢｍ）が表示され、ジャンプ検索モードに設定される（ステップＳ１１，Ｓ１２）。
【００７３】
すると、ジャンプモードメモリ２２ｊに記憶されているジャンプ検索モード（デフォルト“前回辞書モード”）が読み出され、前記ジャンプモードアイコンＢＪのうちで該当する［前回辞書］アイコンＢｂがハイライトにより指定表示Ｈされる（ステップＳ１３）。
【００７４】
そして、説明情報表示画面Ｇの中でジャンプ検索したい文字列「Cooperation」がペンＰによりタッチされると、当該検索文字列が反転により指定表示ｈされる（ステップＳ１４）。
【００７５】
ここで、前記指定表示ｈされた検索文字列「Cooperation」の簡単な意味内容だけ知りたい場合に、図８（Ｃ）に示すように、［ミニ辞書］アイコンＢｍがタッチされると（ステップＳ３５（Ｙｅｓ））、ジャンプ検索モードが“ミニ辞書モード”に設定されてジャンプモードメモリ２２ｊに記憶されると共に、当該［ミニ辞書］アイコンＢｍがハイライトにより指定表示Ｈされる（ステップＳ３６）。
【００７６】
すると、前記検索文字列「Cooperation」の文字種が判別され（ステップＳ３７）、アルファベットであると判断されると（ステップＳ３８（Ｙｅｓ））、ミニ辞書データベース２２ｅに記憶されている［英和ミニ辞書］がジャンプ先辞書として指定される（ステップＳ３９）。
【００７７】
すると、前記ジャンプ先として指定された［英和ミニ辞書］から前記検索文字列「Cooperation」と前方一致する見出し語が検索され、そのうちの先頭の見出し語に対応する説明情報が読み出される（ステップＳ４１）。
【００７８】
この際、前記メイン画面１７が、ブック／テキストビューアモードによるブック／テキストデータの表示状態であるか否か判断され（ステップＳ４２）、ブック／テキストデータの表示状態ではないと判断されると（ステップＳ４２（Ｎｏ））、現在表示中の説明情報表示画面Ｇ上に開いた横置きのミニ辞書ウインドウＷｍに前記［英和ミニ辞書］から読み出された説明情報が表示される（ステップＳ４３）。
【００７９】
なお、前記ミニ辞書ウインドウＷｍの右端には、ウインドウ内の表示情報をスクロールさせるための［スクロール］ボタンＲ、前記見出し語検索された次候補の見出し語に対応する説明情報を読み出して表示させるための［別候補］ボタンＮ、ミニ辞書ウインドウＷｍを閉じるための［閉じる］ボタンＥが表示される。
【００８０】
このように、メイン画面１７に表示された説明情報表示画面Ｇ内の所望の検索文字列について、同メイン画面１７やサブ画面１６に表示されたジャンプモードアイコンＢＪの［ミニ辞書］アイコンＢｍを指定することで、当該検索文字列と一致する見出し語の説明情報がミニ辞書データベース２２ｅに記憶されている簡約化された辞書から読み出され、ミニ辞書ウインドウＷｍとして表示される。このため、表示中の語句の意味内容を簡単に知りたい場合など、非常に操作性よく快適にジャンプ辞書検索を行うことができる。
【００８１】
続いて、［戻る／リスト］キー１４ｄが押下（タッチ）操作されると（ステップＳ４６（Ｙｅｓ））、図８（Ｄ）に示すように、ミニ辞書ウインドウＷｍが閉じられ、ジャンプ検索モードに設定された状態での元の見出し語「エーペック［ＡＰＥＣ］」に対応する説明情報表示画面Ｇの表示状態に戻る。
【００８２】
この際、ジャンプ検索モードは、ジャンプモードメモリ２２ｊに記憶されている“ミニ辞書モード”のまま維持される。
【００８３】
そして、前記説明情報表示画面Ｇの中で次にジャンプ検索したい文字列「Conference」がペンＰによりタッチされると、当該検索文字列が反転により指定表示ｈされる（ステップＳ１４）。
【００８４】
ここで、前記指定表示ｈされた検索文字列「Conference」について、前記“ミニ辞書モード”のままジャンプ検索したい場合に、図９（Ｅ）に示すように、［訳／決定］キー１４ｃ（ＫＥ）が押下（タッチ）されると（ステップＳ４７（Ｙｅｓ））、ジャンプモードメモリ２２ｊに記憶されているジャンプ検索モードが読み出され（ステップＳ４８）、現在のジャンプ検索モードが“ミニ辞書モード”であると判断される（ステップＳ４９（Ｙｅｓ））。
【００８５】
すると、前回の“ミニ辞書モード”によるジャンプ検索処理と同様に、前記検索文字列「Conference」の文字種がアルファベットであると判断され（ステップＳ３７，Ｓ３８（Ｙｅｓ））、ミニ辞書データベース２２ｅに記憶されている［英和ミニ辞書］がジャンプ先辞書として指定される（ステップＳ３９）。
【００８６】
すると、前記ジャンプ先として指定された［英和ミニ辞書］から前記検索文字列「Conference」と前方一致する見出し語が検索され、そのうちの先頭の見出し語に対応する説明情報が読み出される（ステップＳ４１）。
【００８７】
この際、前記メイン画面１７は、ブック／テキストデータの表示状態ではないと判断され（ステップＳ４２（Ｎｏ））、現在表示中の説明情報表示画面Ｇ上に開いた横置きのミニ辞書ウインドウＷｍに前記［英和ミニ辞書］から読み出された説明情報が表示される（ステップＳ４３）。
【００８８】
続いて、再び［戻る／リスト］キー１４ｄが押下（タッチ）操作されると（ステップＳ４６（Ｙｅｓ））、図９（Ｆ）に示すように、ミニ辞書ウインドウＷｍが閉じられ、ジャンプ検索モードに設定された状態での元の見出し語「エーペック［ＡＰＥＣ］」に対応する説明情報表示画面Ｇの表示状態に戻る。
【００８９】
そして、前記説明情報表示画面Ｇの中で次にジャンプ検索したい文字列「ASEAN」がペンＰによりタッチされると、当該検索文字列が反転により指定表示ｈされる（ステップＳ１４）。
【００９０】
ここで、前記指定表示ｈされた検索文字列「ASEAN」について、前回の詳細な意味内容をジャンプ検索したときと同じ辞書をジャンプ先辞書に指定して検索したい場合に、図９（Ｇ）に示すように、［前回辞書］アイコンＢｂがタッチされると（ステップＳ１５（Ｙｅｓ））、ジャンプ検索モードが“前回辞書モード”に設定されてジャンプモードメモリ２２ｊに記憶されると共に、当該［前回辞書］アイコンＢｂがハイライトにより指定表示Ｈされる（ステップＳ１６）。
【００９１】
すると、前記検索文字列「ASEAN」の文字種（アルファベット）が判別され（ステップＳ１７）、前回ジャンプ辞書メモリ２２ｉ（図４参照）に記憶されている該当の文字種（アルファベット）に対応した前回のジャンプ先辞書［英和辞書］が検知される（ステップＳ１８）。そして、この前回のジャンプ先辞書［英和辞書］が今回のジャンプ先辞書に設定される（ステップＳ１９）。
【００９２】
すると、通常の辞書検索モードにセットされ（ステップＳ２０）、ブック／テキストビューアモードからの変更か否か判断される（ステップＳ２１）。
【００９３】
そして、ブック／テキストビューアモードからの変更ではないと判断されると（ステップＳ２１（Ｎｏ））、前記今回のジャンプ先辞書に設定された［英和辞書］から前記検索文字列「ASEAN」と前方一致する見出し語が検索され、この検索された見出し語の一覧がメイン画面１７の見出し語一覧エリアＬｍに表示される（ステップＳ２３）。
【００９４】
この際、前記見出し語一覧エリアＬｍに一覧表示された先頭の見出し語「ASEAN」がカーソルＣｕにより指定表示され（ステップＳ２４）、この指定表示された見出し語「ASEAN」に対応する説明情報が前記ジャンプ先辞書［英和辞書］から読み出され、メイン画面１７のプレビューエリアＶｐにプレビュー表示される（ステップＳ２５）。
【００９５】
そして、ユーザによるカーソルＣｕの移動操作に応じて所望の検索見出し語（図９（Ｇ）では「ASEAN」のみ）が選択され、［訳／決定］キー１４ｃ（ＫＥ）が押下（タッチ）操作されると（ステップＳ２６）、当該選択された見出し語「ASEAN」に対応して前記［英和辞書］から読み出された詳細な説明情報が、メイン画面１７の全画面に展開されてなる説明情報表示画面Ｇとして表示される（ステップＳ２７）。
【００９６】
このように、メイン画面１７に表示された説明情報表示画面Ｇ内の所望の検索文字列について、同メイン画面１７やサブ画面１６に表示されたジャンプモードアイコンＢＪの［前回辞書］アイコンＢｂを指定することで、当該検索文字列と一致する見出し語の詳細な説明情報が、同検索文字列の文字種に応じて前回のジャンプ検索処理で使用されたジャンプ先辞書から読み出され、新たな説明情報表示画面Ｇとして表示される。このため、表示中の語句の詳細な意味内容を前回のジャンプ検索処理と同じようにして知りたい場合など、非常に操作性よく快適にジャンプ辞書検索を行うことができる。
【００９７】
この後、再び［戻る／リスト］キー１４ｄが押下（タッチ）操作されると（ステップＳ６２（Ｙｅｓ））、図９（Ｈ）に示すように、ジャンプ検索モードに設定された状態での元の見出し語「エーペック［ＡＰＥＣ］」に対応する説明情報表示画面Ｇの表示状態に戻る。
【００９８】
すると、ジャンプモードメモリ２２ｊに記憶されているジャンプ検索モード“前回辞書モード”が読み出され、前記ジャンプモードアイコンＢＪのうちで該当する［前回辞書］アイコンＢｂがハイライトにより指定表示Ｈされる（ステップＳ１３）。
【００９９】
そして、説明情報表示画面Ｇの中で次にジャンプ検索したい文字列「APEC」がペンＰによりタッチされると、当該検索文字列が反転により指定表示ｈされる（ステップＳ１４）。
【０１００】
ここで、前記指定表示ｈされた検索文字列「APEC」について、任意の辞書をジャンプ先辞書として選択して検索したい場合に、図１０（Ｉ）に示すように、［辞書選択］アイコンＢｓがタッチされると（ステップＳ２８（Ｙｅｓ））、ジャンプ検索モードが“辞書選択モード”に設定されてジャンプモードメモリ２２ｊに記憶されると共に、当該［辞書選択］アイコンＢｓがハイライトにより指定表示Ｈされる（ステップＳ２９）。
【０１０１】
すると、前記検索文字列「APEC」の文字種（アルファベット）が判別され（ステップＳ３０）、ジャンプ先辞書テーブルメモリ２２ｈに記憶されているテーブルデータ（図３参照）に基づき、前記判別された文字種（アルファベット）に対応する検索可能辞書の一覧が読み出され、説明情報表示画面Ｇ上に開いたジャンプ先辞書一覧エリアＬｄに表示される（ステップＳ３１）。
【０１０２】
この際、前回ジャンプ辞書メモリ２２ｉ（図４参照）に記憶されている該当の文字種（アルファベット）に対応した前回のジャンプ先辞書［英和辞書］が指定の辞書に設定され、カーソルＣｕにより指定表示される（ステップＳ３２）。
【０１０３】
このジャンプ先辞書一覧エリアＬｄにおいて、図１０（Ｊ）に示すように、ユーザ操作に応じてカーソルＣｕを移動させ、所望のジャンプ先辞書［[C]百科辞典］が選択されて［訳／決定］キー１４ｃ（ＫＥ）が押下（タッチ）されると（ステップＳ３３）、当該選択された辞書名［ブリ百科辞典］が前回ジャンプ辞書メモリ２２ｉ（図４参照）における前記検索文字列「APEC」の判別文字種（アルファベット）に対応付けられて登録される（ステップＳ３４）。
【０１０４】
すると、通常の辞書検索モードにセットされ（ステップＳ２０）、ブック／テキストビューアモードからの変更か否か判断される（ステップＳ２１）。
【０１０５】
そして、ブック／テキストビューアモードからの変更ではないと判断されると（ステップＳ２１（Ｎｏ））、図１０（Ｋ）に示すように、前記ジャンプ先辞書に選択された［百科辞典］から前記検索文字列「APEC」と前方一致する見出し語が検索され、この検索された見出し語の一覧がメイン画面１７の見出し語一覧エリアＬｍに表示される（ステップＳ２３）。
【０１０６】
この際、前記見出し語一覧エリアＬｍに一覧表示された先頭の見出し語「APEC」がカーソルＣｕにより指定表示され（ステップＳ２４）、この指定表示された見出し語「APEC」に対応する説明情報が前記ジャンプ先辞書［百科辞典］から読み出され、メイン画面１７のプレビューエリアＶｐにプレビュー表示される（ステップＳ２５）。
【０１０７】
そして、ユーザによるカーソルＣｕの移動操作に応じて所望の検索見出し語（図１０（Ｋ）では「APEC」のみ）が選択され、［訳／決定］キー１４ｃ（ＫＥ）が押下（タッチ）操作されると（ステップＳ２６）、図１０（Ｌ）に示すように、当該選択された見出し語「APEC」に対応して前記［百科辞典］から読み出された詳細な説明情報が、メイン画面１７の全画面に展開されてなる説明情報表示画面Ｇとして表示される（ステップＳ２７）。
【０１０８】
このように、メイン画面１７に表示された説明情報表示画面Ｇ内の所望の検索文字列について、同メイン画面１７やサブ画面１６に表示されたジャンプモードアイコンＢＪの［辞書選択］アイコンＢｓを指定することで、当該検索文字列と一致する見出し語の詳細な説明情報が、同検索文字列の文字種に応じたジャンプ先辞書の一覧（Ｌｄ）に基づきユーザが選択した辞書から読み出され、新たな説明情報表示画面Ｇとして表示される。このため、表示中の語句の詳細な意味内容をユーザ所望の辞書から検索して知りたい場合など、非常に操作性よく快適にジャンプ辞書検索を行うことができる。
【０１０９】
この後、再び［ジャンプ］キー１４ｆ（ＫＪ）が押下（タッチ）操作されると（ステップＳ９（Ｙｅｓ））、通常の辞書検索モードであると判断され（ステップＳ１０（Ｙｅｓ））、メイン画面１７のタッチアイコンエリア１７Ｂおよびサブ画面１６にジャンプモードアイコンＢＪが表示され、再びジャンプ検索モードに設定される（ステップＳ１１，Ｓ１２）。
【０１１０】
すると、ジャンプモードメモリ２２ｊに記憶されているジャンプ検索モード“辞書選択モード”が読み出され、前記ジャンプモードアイコンＢＪのうちで該当する［辞書選択］アイコンＢｓがハイライトにより指定表示Ｈされる（ステップＳ１３）。
【０１１１】
そして、説明情報表示画面Ｇの中で次にジャンプ検索したい文字列「外相」がペンＰによりタッチされると、当該指定の検索文字列の先頭文字「外」が反転により指定表示ｈされる（ステップＳ１４）。
【０１１２】
ここで、前記指定表示ｈされた検索文字列「外相」の簡単な意味内容だけ知りたい場合に、図１１（Ｍ）に示すように、［ミニ辞書］アイコンＢｍがタッチされると（ステップＳ３５（Ｙｅｓ））、ジャンプ検索モードが“ミニ辞書モード”に設定されてジャンプモードメモリ２２ｊに記憶されると共に、当該［ミニ辞書］アイコンＢｍがハイライトにより指定表示Ｈされる（ステップＳ３６）。
【０１１３】
すると、前記検索文字列「外相」の文字種（漢字）が判別され（ステップＳ３７）、アルファベットでないと判断されると（ステップＳ３８（Ｎｏ））、ミニ辞書データベース２２ｅに記憶されている［国語ミニ辞書］がジャンプ先辞書として指定される（ステップＳ４０）。
【０１１４】
すると、前記ジャンプ先として指定された［国語ミニ辞書］から前記検索文字列「外相」と前方一致する見出し語が検索され、そのうちの先頭の見出し語に対応する説明情報が読み出される（ステップＳ４１）。
【０１１５】
この際、前記メイン画面１７が、ブック／テキストビューアモードによるブック／テキストデータの表示状態であるか否か判断され（ステップＳ４２）、ブック／テキストデータの表示状態ではないと判断されると（ステップＳ４２（Ｎｏ））、現在表示中の説明情報表示画面Ｇ上に開いた横置きのミニ辞書ウインドウＷｍに前記［国語ミニ辞書］から読み出された説明情報が表示される（ステップＳ４３）。
【０１１６】
ここで、図１１（Ｎ）に示すように、前記ミニ辞書ウインドウＷｍの右端に表示された［別候補］ボタンＮがタッチされると（ステップＳ４４（Ｙｅｓ））、前記ステップＳ４１にて前方一致で見出し語検索された次候補の見出し語「がい 外」に対応する簡約な説明情報が前記［国語ミニ辞書］から読み出され、前記ミニ辞書ウインドウＷｍに書き替えられて表示される（ステップＳ４５）。
【０１１７】
［ブック／テキストビューアモードからのジャンプ辞書検索］
辞書指定キー１４ｂの中の［メニュー］キーの操作に応じてメイン画面１７に表示されるメニュー画面において、ブック／テキストビューア機能がユーザにより選択されると（ステップＳ５１（Ｙｅｓ））、ブック／テキストデータ２２ｆ，２２ｇとして記憶されている各種のブックデータやテキストデータの一覧がメイン画面１７に表示される（ステップＳ５２）。
【０１１８】
このブック／テキストデータの一覧画面において、ユーザが閲覧したいブック／テキストデータ（例えば、ブックデータ［世界文学１］）が選択されると（ステップＳ５３）、ブック／テキストビューアモードにセットされる（ステップＳ５４）。
【０１１９】
そして、図１２（Ｏ）に示すように、前記選択されたブックデータ［世界文学１］がメモリ２２から読み出され、メイン画面１７の全画面に展開したブック／テキストビューア画面Ｇｖとして表示される（ステップＳ５５）。
【０１２０】
なお、図５のフローチャートに示すステップＳ５６に対応する処理は、後述する他の実施形態における追加の処理であり、ここでの説明を省略する。
【０１２１】
前記ブック／テキストビューア画面Ｇｖによるブックデータ［世界文学１］の表示状態において、そのブックデータの中の任意の文字列について辞書へジャンプして検索するために、［ジャンプ］キー１４ｆ（ＫＪ）が押下（タッチ）操作されると（ステップＳ９（Ｙｅｓ））、通常の辞書検索モードか否か判断される（ステップＳ１０）。
【０１２２】
ここで、現在はブック／テキストビューアモードにセットされているので、通常の辞書検索モードでないと判断されると（ステップＳ１０（Ｎｏ））、サブ画面１６にだけジャンプモードアイコンＢＪが表示され、ジャンプ検索モードに設定される（ステップＳ１２）。
【０１２３】
すると、ジャンプモードメモリ２２ｊに記憶されているジャンプ検索モード（“ミニ辞書モード”）が読み出され、前記ジャンプモードアイコンＢＪのうちで該当する［ミニ辞書］アイコンＢｍがハイライトにより指定表示Ｈされる（ステップＳ１３）。
【０１２４】
そして、図１２（Ｐ）に示すように、ブック／テキストビューア画面Ｇｖの中でジャンプ検索したい文字列「widow」がペンＰによりタッチされると、当該検索文字列が反転により指定表示ｈされる（ステップＳ１４）。
【０１２５】
ここで、前記指定表示ｈされた検索文字列「widow」の簡単な意味内容だけ知りたい場合に、ユーザは、サブ画面１６の［ミニ辞書］アイコンＢｍが指定表示Ｈされているのを見て、このままのジャンプ検索モードのままでよいと判断できるので、直ちに［訳／決定］キー１４ｃ（ＫＥ）を押下（タッチ）操作する（ステップＳ４７（Ｙｅｓ））。
【０１２６】
すると、ジャンプモードメモリ２２ｊに記憶されているジャンプ検索モードが読み出され（ステップＳ４８）、現在のジャンプ検索モードが“ミニ辞書モード”であると判断される（ステップＳ４９（Ｙｅｓ））。
【０１２７】
すると、前記検索文字列「widow」の文字種がアルファベットであると判断され（ステップＳ３７，Ｓ３８（Ｙｅｓ））、ミニ辞書データベース２２ｅに記憶されている［英和ミニ辞書］がジャンプ先辞書として指定される（ステップＳ３９）。
【０１２８】
すると、前記ジャンプ先として指定された［英和ミニ辞書］から前記検索文字列「widow」と一致する見出し語が検索され、そのうちの先頭の見出し語に対応する説明情報が読み出される（ステップＳ４１）。
【０１２９】
この際、前記メイン画面１７は、ブック／テキストデータの表示状態であると判断され（ステップＳ４２（Ｙｅｓ））、加速度センサ２６により検知される装置本体の設置方向が、縦置きか否（横置き）か判断される（ステップＳ５７）。
【０１３０】
そして、装置本体の設置方向が縦置きでない、つまり横置きであると判断されると（ステップＳ５７（Ｎｏ））、横置きに対応したテキスト表示状態のまま（ステップＳ６０）、現在表示中のブック／テキストビューア画面Ｇｖ上に開いた横置きのミニ辞書ウインドウＷｍに前記［英和ミニ辞書］から読み出された説明情報が表示される（ステップＳ６１）。
【０１３１】
この後、図１２（Ｑ）に示すように、装置本体が縦置きに置き換えられた場合に、加速度センサ２６により検知される装置本体の設置方向が縦置きであると判断されると（ステップＳ４２→Ｓ５７（Ｙｅｓ））、縦置きに対応したブック／テキストビューア画面Ｇｖｔに切り替えられ（ステップＳ５８）、当該縦置き用ブック／テキストビューア画面Ｇｖｔ上に開いた縦置き用ミニ辞書ウインドウＷｍｔに前記［英和ミニ辞書］から読み出された説明情報が表示される（ステップＳ６１）。
【０１３２】
このように、メイン画面１７に表示されたブック／テキストビューア画面Ｇｖ内の所望の検索文字列について、サブ画面１６に表示されたジャンプモードアイコンＢＪの［ミニ辞書］アイコンＢｍを指定することで、当該検索文字列と一致する見出し語の説明情報がミニ辞書データベース２２ｅに記憶されている簡約化された辞書から読み出され、ミニ辞書ウインドウＷｍとして表示される。このため、表示閲覧中のブックデータやテキストデータに使われている語句の意味内容を簡単に知りたい場合など、非常に操作性よく快適にジャンプ辞書検索を行うことができる。
【０１３３】
またこのブック／テキストビューアモードでは、前記ジャンプモードアイコンＢＪは、メイン画面１７に表示されずサブ画面１６にだけ表示されるので、ブック／テキストビューア画面Ｇｖをメイン画面１７の表示領域を最大限使用して表示させることができ、ブック／テキストデータの表示量を可能な限り多く確保できる。
【０１３４】
この後、図１３（Ｒ）に示すように、装置本体を横置きに戻して［戻る／リスト］キー１４ｄが押下（タッチ）操作されると（ステップＳ４６（Ｙｅｓ））、前記ミニ辞書ウインドウＷｍ（Ｗｍｔ）が閉じられ、ジャンプ検索モードに設定された状態での元のブックデータ［世界文学１］に対応するブック／テキストビューア画面Ｇｖの表示状態に戻る。
【０１３５】
そして、前記ブック／テキストビューア画面Ｇｖの中の検索文字列「widow」が指定表示ｈされている状態で（ステップＳ１４）、当該指定表示ｈされた検索文字列「widow」について、前回の詳細な意味内容をジャンプ検索したときと同じ辞書をジャンプ先辞書に設定して検索したい場合に、サブ画面１６に表示されたジャンプモードアイコンＢＪの中の［前回辞書］アイコンＢｂがタッチされる（ステップＳ１５（Ｙｅｓ））。
【０１３６】
すると、ジャンプ検索モードが“前回辞書モード”に設定されてジャンプモードメモリ２２ｊに記憶されると共に、当該［前回辞書］アイコンＢｂがハイライトにより指定表示Ｈされる（ステップＳ１６）。
【０１３７】
すると、前記検索文字列「widow」の文字種（アルファベット）が判別され（ステップＳ１７）、前回ジャンプ辞書メモリ２２ｉ（図４参照）に記憶されている該当の文字種（アルファベット）に対応した前回のジャンプ先辞書［百科辞典］が検知される（ステップＳ１８）。そして、この前回のジャンプ先辞書［百科辞典］が今回のジャンプ先辞書に設定される（ステップＳ１９）。
【０１３８】
すると、通常の辞書検索モードにセットされ（ステップＳ２０）、ブック／テキストビューアモードからの変更か否か判断される（ステップＳ２１）。
【０１３９】
そして、ブック／テキストビューアモードからの変更であると判断されると（ステップＳ２１（Ｙｅｓ））、図１３（Ｓ）に示すように、メイン画面１７のタッチアイコンエリア１７ＢにもジャンプモードアイコンＢＪが表示され、現在のジャンプ検索モード“前回辞書モード”に対応する［前回辞書］アイコンＢｂが指定表示Ｈされる（ステップＳ２２）。
【０１４０】
すると、前記今回のジャンプ先辞書に設定された［百科辞典］から前記検索文字列「widow」と前方一致する見出し語が検索され、この検索された見出し語の一覧がメイン画面１７の見出し語一覧エリアＬｍに表示される（ステップＳ２３）。
【０１４１】
この際、前記見出し語一覧エリアＬｍに一覧表示された先頭の見出し語「ウィドー〜」がカーソルＣｕにより指定表示され（ステップＳ２４）、この指定表示された見出し語「ウィドー〜」に対応する説明情報が前記ジャンプ先辞書［百科辞典］から読み出され、メイン画面１７のプレビューエリアＶｐにプレビュー表示される（ステップＳ２５）。
【０１４２】
そして、ユーザによるカーソルＣｕの移動操作に応じて所望の検索見出し語「ウィドー〜」が選択され、［訳／決定］キー１４ｃ（ＫＥ）が押下（タッチ）操作されると（ステップＳ２６）、当該選択された見出し語「ウィドー〜」に対応して前記［百科辞典］から読み出された詳細な説明情報が、メイン画面１７の全画面に展開されてなる説明情報表示画面Ｇとして表示される（ステップＳ２７）。
【０１４３】
この後、再び［戻る／リスト］キー１４ｄが押下（タッチ）操作されると（ステップＳ６２（Ｙｅｓ））、図１３（Ｔ）に示すように、ジャンプ検索モードに設定された状態での元のブックデータ［世界文学１］に対応するブック／テキストビューア画面Ｇｖの表示状態に戻る。
【０１４４】
すると、ジャンプモードメモリ２２ｊに記憶されているジャンプ検索モード“前回辞書モード”が読み出され、前記ジャンプモードアイコンＢＪのうちで該当する［前回辞書］アイコンＢｂがハイライトにより指定表示Ｈされる（ステップＳ１３）。
【０１４５】
そして、ブック／テキストビューア画面Ｇｖの中でジャンプ検索したい文字列「widow」がペンＰによりタッチされると、当該検索文字列が反転により指定表示ｈされる（ステップＳ１４）。
【０１４６】
ここで、前記指定表示ｈされた検索文字列「widow」について、任意の辞書をジャンプ先辞書として選択して検索したい場合に、図１４（Ｕ）に示すように、［辞書選択］アイコンＢｓがタッチされると（ステップＳ２８（Ｙｅｓ））、ジャンプ検索モードが“辞書選択モード”に設定されてジャンプモードメモリ２２ｊに記憶されると共に、当該［辞書選択］アイコンＢｓがハイライトにより指定表示Ｈされる（ステップＳ２９）。
【０１４７】
すると、前記検索文字列「widow」の文字種（アルファベット）が判別され（ステップＳ３０）、ジャンプ先辞書テーブルメモリ２２ｈに記憶されているテーブルデータ（図３参照）に基づき、前記判別された文字種（アルファベット）に対応する検索可能辞書の一覧が読み出され、説明情報表示画面Ｇ上に開いたジャンプ先辞書一覧エリアＬｄに表示される（ステップＳ３１）。
【０１４８】
この際、前回ジャンプ辞書メモリ２２ｉ（図４参照）に記憶されている該当の文字種（アルファベット）に対応した前回のジャンプ先辞書［百科辞典］が指定の辞書に設定され、カーソルＣｕにより指定表示される（ステップＳ３２）。
【０１４９】
このジャンプ先辞書一覧エリアＬｄにおいて、図１４（Ｖ）に示すように、ユーザ操作に応じてカーソルＣｕを移動させ、所望のジャンプ先辞書［[B]英和辞書］が選択されて［訳／決定］キー１４ｃ（ＫＥ）が押下（タッチ）されると（ステップＳ３３）、当該選択された辞書名［英和辞書］が前回ジャンプ辞書メモリ２２ｉ（図４参照）における前記検索文字列「Widow」の判別文字種（アルファベット）に対応付けられて登録される（ステップＳ３４）。
【０１５０】
すると、通常の辞書検索モードにセットされ（ステップＳ２０）、ブック／テキストビューアモードからの変更か否か判断される（ステップＳ２１）。
【０１５１】
そして、ブック／テキストビューアモードからの変更であると判断されると（ステップＳ２１（Ｙｅｓ））、図１４（Ｗ）に示すように、メイン画面１７のタッチアイコンエリア１７ＢにもジャンプモードアイコンＢＪが表示され、現在のジャンプ検索モード“辞書選択モード”に対応する［辞書選択］アイコンＢｓが指定表示Ｈされる（ステップＳ２２）。
【０１５２】
すると、前記今回のジャンプ先辞書に設定された［英和辞書］から前記検索文字列「widow」と前方一致する見出し語が検索され、この検索された見出し語の一覧がメイン画面１７の見出し語一覧エリアＬｍに表示される（ステップＳ２３）。
【０１５３】
この際、前記見出し語一覧エリアＬｍに一覧表示された先頭の見出し語「widow」がカーソルＣｕにより指定表示され（ステップＳ２４）、この指定表示された見出し語「widow」に対応する説明情報が前記ジャンプ先辞書［英和辞書］から読み出され、メイン画面１７のプレビューエリアＶｐにプレビュー表示される（ステップＳ２５）。
【０１５４】
そして、ユーザによるカーソルＣｕの移動操作に応じて所望の検索見出し語「widow」（図１４（Ｗ）では「widow」のみ）が選択され、［訳／決定］キー１４ｃ（ＫＥ）が押下（タッチ）操作されると（ステップＳ２６）、当該選択された見出し語「widow」に対応して前記［英和辞書］から読み出された詳細な説明情報が、メイン画面１７の全画面に展開されてなる説明情報表示画面Ｇとして表示される（ステップＳ２７）。
【０１５５】
このように、ブック／テキストビューアモードによりブック／テキストビューア画面Ｇｖに表示させたユーザ所望のブックデータやテキストデータの閲覧中にあっても、サブ画面１６に表示させたジャンプモードアイコンＢＪにより、ジャンプ検索モードを“前回辞書モード”“辞書選択モード”“ミニ辞書モード”の何れかに簡単に設定できる。そして、ユーザ指定の検索文字列について、容易に希望通りのジャンプ辞書検索を行うことができる。
【０１５６】
なお、前記通常の辞書検索モードからジャンプ検索モードへ移行された場合、および前記ブック／テキストビューアモードからジャンプ検索モードへ移行された場合の何れにおいても（ステップＳ９〜Ｓ１４）、既に“前回辞書モード”に設定されたままの状態で［訳／決定］キー１４ｃが操作されると、ステップＳ４７（Ｙｅｓ）〜Ｓ５０（Ｙｅｓ）の処理・判断を経て、そのまま“前回辞書モード”に従ったジャンプ検索処理が実行される（ステップＳ１７〜Ｓ２７）。
【０１５７】
また同様に、既に“辞書選択モード”に設定されたままの状態で［訳／決定］キー１４ｃが操作されると、ステップＳ４７（Ｙｅｓ）〜Ｓ５０（Ｎｏ）の処理・判断を経て、そのまま“辞書選択モード”に従ったジャンプ検索処理が実行される（ステップＳ３０〜Ｓ３４→Ｓ２０〜Ｓ２７）。
【０１５８】
［ブック／テキストビューアモードからのジャンプ辞書検索（他の実施形態）］
図１５は、前記電子辞書装置１０の情報表示処理に伴うブック／テキストビューアモードからの他の実施形態のジャンプ辞書検索に応じたタッチパネル式カラー表示部（メイン画面）１７および手書き入力部（サブ画面）１６の表示動作（その１）を示す図である。
【０１５９】
図１６は、前記電子辞書装置１０の情報表示処理に伴うブック／テキストビューアモードからの他の実施形態のジャンプ辞書検索に応じたタッチパネル式カラー表示部（メイン画面）１７および手書き入力部（サブ画面）１６の表示動作（その２）を示す図である。
【０１６０】
図１７は、前記電子辞書装置１０の情報表示処理に伴うブック／テキストビューアモードからの他の実施形態のジャンプ辞書検索に応じたタッチパネル式カラー表示部（メイン画面）１７および手書き入力部（サブ画面）１６の表示動作（その３）を示す図である。
【０１６１】
この他の実施形態のジャンプ辞書検索では、前記図５で示した情報表示処理のフローチャート（その１）において、破線で示すステップＳ５６の処理を加える。
【０１６２】
このステップＳ５６の処理とは要するに、ブック／テキストビューアモードによりブック／テキストビューア画面Ｇｖが表示された場合には、ジャンプモードメモリ２２ｊに記憶されるジャンプ検索モードを、“ミニ辞書モード”にデフォルト設定するものである。
【０１６３】
辞書指定キー１４ｂの中の［メニュー］キーの操作に応じてメイン画面１７に表示されるメニュー画面において、ブック／テキストビューア機能がユーザにより選択されると（ステップＳ５１（Ｙｅｓ））、ブック／テキストデータ２２ｆ，２２ｇとして記憶されている各種のブックデータやテキストデータの一覧がメイン画面１７に表示される（ステップＳ５２）。
【０１６４】
このブック／テキストデータの一覧画面において、ユーザが閲覧したいブック／テキストデータ（例えば、テキストデータ［テキストＡ］）が選択されると（ステップＳ５３）、ブック／テキストビューアモードにセットされる（ステップＳ５４）。
【０１６５】
そして、図１５（Ａ）に示すように、前記選択されたテキストデータ［テキストＡ］がメモリ２２から読み出され、メイン画面１７の全画面に展開したブック／テキストビューア画面Ｇｖとして表示される（ステップＳ５５）。
【０１６６】
すると、ジャンプモードメモリ２２ｊに記憶されるジャンプ検索モードが、“ミニ辞書モード”にデフォルト設定される（ステップＳ５６）。
【０１６７】
前記ブック／テキストビューア画面Ｇｖによるテキストデータ［テキストＡ］の表示状態において、そのテキストデータの中の任意の文字列について辞書へジャンプして検索するために、［ジャンプ］キー１４ｆ（ＫＪ）が押下（タッチ）操作されると（ステップＳ９（Ｙｅｓ））、通常の辞書検索モードか否か判断される（ステップＳ１０）。
【０１６８】
ここで、現在はブック／テキストビューアモードにセットされているので、通常の辞書検索モードでないと判断されると（ステップＳ１０（Ｎｏ））、サブ画面１６にだけジャンプモードアイコンＢＪが表示され、ジャンプ検索モードに設定される（ステップＳ１２）。
【０１６９】
すると、ジャンプモードメモリ２２ｊにデフォルト設定されたジャンプ検索モード“ミニ辞書モード”が読み出され、前記ジャンプモードアイコンＢＪのうちで該当する［ミニ辞書］アイコンＢｍがハイライトにより指定表示Ｈされる（ステップＳ１３）。
【０１７０】
そして、ブック／テキストビューア画面Ｇｖの中でジャンプ検索したい文字列「不均衡」の「不」がペンＰによりタッチされると、当該検索文字列「不均衡」の先頭文字「不」が反転により指定表示ｈされる（ステップＳ１４）。
【０１７１】
ここで、前記指定表示ｈされた検索文字列「不均衡」の簡単な意味内容だけ知りたい場合に、ユーザは、サブ画面１６の［ミニ辞書］アイコンＢｍが指定表示Ｈされているのを見て、このままのジャンプ検索モードのままでよいと判断できるので、直ちに［訳／決定］キー１４ｃ（ＫＥ）を押下（タッチ）操作する（ステップＳ４７（Ｙｅｓ））。
【０１７２】
すると、ジャンプモードメモリ２２ｊに記憶されているジャンプ検索モードが読み出され（ステップＳ４８）、現在のジャンプ検索モードが“ミニ辞書モード”であると判断される（ステップＳ４９（Ｙｅｓ））。
【０１７３】
すると、前記検索文字列「不均衡」の文字種（漢字）が判別されると共に（ステップＳ３７）、アルファベットではないと判断され（ステップＳ３８（Ｎｏ））、ミニ辞書データベース２２ｅに記憶されている［国語ミニ辞書］がジャンプ先辞書として指定される（ステップＳ４０）。
【０１７４】
すると、前記ジャンプ先として指定された［国語ミニ辞書］から前記検索文字列「不均衡」と前方一致する見出し語が検索され、そのうちの先頭の見出し語に対応する説明情報が読み出される（ステップＳ４１）。
【０１７５】
この際、前記メイン画面１７は、ブック／テキストデータの表示状態であると判断され（ステップＳ４２（Ｙｅｓ））、加速度センサ２６により検知される装置本体の設置方向が、縦置きか否（横置き）か判断される（ステップＳ５７）。
【０１７６】
そして、装置本体の設置方向が縦置きでない、つまり横置きであると判断されると（ステップＳ５７（Ｎｏ））、横置きに対応したテキスト表示状態のまま（ステップＳ６０）、現在表示中のブック／テキストビューア画面Ｇｖ上に開いた横置きのミニ辞書ウインドウＷｍに前記［国語ミニ辞書］から読み出された説明情報が表示される（ステップＳ６１）。
【０１７７】
なお、環境設定により縦書きモードが設定されている場合は、図１５（Ｃ）に示すように、前記ブック／テキストビューア画面Ｇｖに表示されるテキストデータは縦書きにして表示される。
【０１７８】
そして、図１６（Ｄ）に示すように、装置本体が縦置きに置き換えられた場合に、加速度センサ２６により検出される装置本体の設置方向が縦置きであると判断されると（ステップＳ４２→Ｓ５７（Ｙｅｓ））、縦置きに対応したブック／テキストビューア画面Ｇｖｔに切り替えられ（ステップＳ５８）、当該縦置き用ブック／テキストビューア画面Ｇｖｔ上に開いた縦置き用ミニ辞書ウインドウＷｍｔに前記［国語ミニ辞書］から読み出された説明情報が表示される（ステップＳ６１）。
【０１７９】
このように、メイン画面１７に表示されたブック／テキストビューア画面Ｇｖ内の所望の検索文字列について、当該ブック／テキストビューアモードではジャンプ検索モードが“ミニ辞書モード”にデフォルト設定されるので、単に［訳／決定］キー１４ｃ（ＫＥ）を押下（タッチ）操作するだけで、当該検索文字列と一致する見出し語の説明情報がミニ辞書データベース２２ｅに記憶されている簡約化された辞書から読み出され、ミニ辞書ウインドウＷｍとして表示される。このため、表示閲覧中のブックデータやテキストデータに使われている語句の意味内容を簡単に知りたい場合など、非常に操作性よく快適にジャンプ辞書検索を行うことができる。
【０１８０】
またこのブック／テキストビューアモードでは、前記ジャンプモードアイコンＢＪは、メイン画面１７に表示されずサブ画面１６にだけ表示されるので、ブック／テキストビューア画面Ｇｖをメイン画面１７の表示領域を最大限使用して表示させることができ、ブック／テキストデータの表示量を可能な限り多く確保できる。
【０１８１】
この後、図１６（Ｅ）に示すように、装置本体を横置きに戻して［戻る／リスト］キー１４ｄが押下（タッチ）操作されると（ステップＳ４６（Ｙｅｓ））、前記ミニ辞書ウインドウＷｍ（Ｗｍｔ）が閉じられ、ジャンプ検索モードに設定された状態での元のテキストデータ［テキストＡ］に対応するブック／テキストビューア画面Ｇｖの表示状態に戻る。
【０１８２】
この際、ジャンプ検索モードは、ジャンプモードメモリ２２ｊに記憶されている“ミニ辞書モード”のまま維持される。
【０１８３】
そして、前記ブック／テキストビューア画面Ｇｖの中で次にジャンプ検索したい文字「ア」がペンＰによりタッチされると、当該検索文字が反転により指定表示ｈされる（ステップＳ１４）。
【０１８４】
ここで、前記指定表示ｈされた検索文字「ア」について、前記“ミニ辞書モード”ままジャンプ検索したい場合に、図１６（Ｆ）に示すように、［訳／決定］キー１４ｃ（ＫＥ）が押下（タッチ）されると（ステップＳ４７（Ｙｅｓ））、ジャンプモードメモリ２２ｊに記憶されているジャンプ検索モードが読み出され（ステップＳ４８）、現在のジャンプ検索モードが“ミニ辞書モード”であると判断される（ステップＳ４９（Ｙｅｓ））。
【０１８５】
すると、前回の“ミニ辞書モード”によるジャンプ検索処理と同様に、前記検索文字「ア」の文字種（かな）が判別されると共に（ステップＳ３７）、アルファベットではないと判断され（ステップＳ３８（Ｎｏ））、ミニ辞書データベース２２ｅに記憶されている［国語ミニ辞書］がジャンプ先辞書として再指定される（ステップＳ４０）。
【０１８６】
すると、前記ジャンプ先として指定された［国語ミニ辞書］から前記検索文字「ア」と前方一致する見出し語が検索され、そのうちの先頭の見出し語「あじ 味」に対応する説明情報が読み出される（ステップＳ４１）。
【０１８７】
そして、現在表示中のブック／テキストビューア画面Ｇｖ上に開いた横置きのミニ辞書ウインドウＷｍに前記［国語ミニ辞書］から読み出された説明情報が表示される（ステップＳ４２（Ｙｅｓ）→Ｓ５７（Ｎｏ）→Ｓ６０，Ｓ６１）。
【０１８８】
この後、図１７（Ｇ）に示すように、［戻る／リスト］キー１４ｄが押下（タッチ）操作されると（ステップＳ４６（Ｙｅｓ））、前記ミニ辞書ウインドウＷｍ（Ｗｍｔ）が閉じられ、ジャンプ検索モードに設定された状態での元のテキストデータ［テキストＡ］に対応するブック／テキストビューア画面Ｇｖの表示状態に戻る。
【０１８９】
この際、ジャンプ検索モードは、ジャンプモードメモリ２２ｊに記憶されている“ミニ辞書モード”のまま維持される。
【０１９０】
そして、前記ブック／テキストビューア画面Ｇｖの中でジャンプ検索したい文字「ア」がペンＰによりタッチされると、当該検索文字が反転により指定表示ｈされる（ステップＳ１４）。
【０１９１】
ここで、前記指定表示ｈされた検索文字「ア」について、任意の辞書をジャンプ先辞書として選択して検索したい場合に、図１７（Ｈ）に示すように、サブ画面１６の［辞書選択］アイコンＢｓがタッチされると（ステップＳ２８（Ｙｅｓ））、ジャンプ検索モードが“辞書選択モード”に設定されてジャンプモードメモリ２２ｊに記憶されると共に、当該［辞書選択］アイコンＢｓがハイライトにより指定表示Ｈされる（ステップＳ２９）。
【０１９２】
すると、前記検索文字「ア」の文字種（かな）が判別され（ステップＳ３０）、ジャンプ先辞書テーブルメモリ２２ｈに記憶されているテーブルデータ（図３参照）に基づき、前記判別された文字種（かな）に対応する検索可能辞書の一覧が読み出され、説明情報表示画面Ｇ上に開いたジャンプ先辞書一覧エリアＬｄに表示される（ステップＳ３１）。
【０１９３】
この際、前回ジャンプ辞書メモリ２２ｉ（図４参照）に記憶されている該当の文字種（かな）に対応した前回のジャンプ先辞書［百科辞典］が指定の辞書に設定され、カーソルＣｕにより指定表示される（ステップＳ３２）。
【０１９４】
このジャンプ先辞書一覧エリアＬｄにおいて、カーソルＣｕにより所望のジャンプ先辞書［百科辞典］が選択された状態で［訳／決定］キー１４ｃ（ＫＥ）が押下（タッチ）されると（ステップＳ３３）、当該選択された辞書名［百科辞典］が前回ジャンプ辞書メモリ２２ｉ（図４参照）における前記検索文字「ア」の判別文字種（かな）に対応付けられて登録される（ステップＳ３４）。
【０１９５】
すると、通常の辞書検索モードにセットされ（ステップＳ２０）、ブック／テキストビューアモードからの変更か否か判断される（ステップＳ２１）。
【０１９６】
そして、ブック／テキストビューアモードからの変更であると判断されると（ステップＳ２１（Ｙｅｓ））、図１７（Ｉ）に示すように、メイン画面１７のタッチアイコンエリア１７ＢにもジャンプモードアイコンＢＪが表示され、現在のジャンプ検索モード“辞書選択モード”に対応する［辞書選択］アイコンＢｓが指定表示Ｈされる（ステップＳ２２）。
【０１９７】
すると、前記今回のジャンプ先辞書に設定された［百科辞典］から前記検索文字「ア」に前方一致する見出し語が検索され、この検索された見出し語の一覧がメイン画面１７の見出し語一覧エリアＬｍに表示される（ステップＳ２３）。
【０１９８】
この際、前記見出し語一覧エリアＬｍに一覧表示された先頭の見出し語「アジア太平洋」がカーソルＣｕにより指定表示され（ステップＳ２４）、この指定表示された見出し語「アジア太平洋」に対応する説明情報が前記ジャンプ先辞書［百科辞典］から読み出され、メイン画面１７のプレビューエリアＶｐにプレビュー表示される（ステップＳ２５）。
【０１９９】
そして、ユーザによるカーソルＣｕの移動操作に応じて所望の検索見出し語「アジア太平洋」（図１７（Ｉ）では「アジア太平洋」のみ）が選択され、［訳／決定］キー１４ｃ（ＫＥ）が押下（タッチ）操作されると（ステップＳ２６）、当該選択された見出し語「アジア太平洋」に対応して前記［百科辞典］から読み出された詳細な説明情報が、メイン画面１７の全画面に展開されてなる説明情報表示画面Ｇとして表示される（ステップＳ２７）。
【０２００】
このように、ブック／テキストビューアモードによりブック／テキストビューア画面Ｇｖにユーザ所望のブックデータやテキストデータを表示させた状態では、ジャンプ検索モードを“ミニ辞書モード”にデフォルト設定することで、いつでも簡単且つ容易に指定の検索文字列についての簡約化した説明情報をミニ辞書ウインドウＷｍに開いて直ちに見ることができる。
【０２０１】
しかも、サブ画面１６に表示させたジャンプモードアイコンＢＪにより、前記“ミニ辞書モード”にデフォルト設定されたジャンプ検索モードを“前回辞書モード”や“辞書選択モード”に簡単に変更して設定できる。そして、ユーザ指定の検索文字列について、容易に希望通りのジャンプ辞書検索を行うことができる。
【０２０２】
［変形例］
前記各実施形態において、ジャンプ検索モードが“ミニ辞書モード”に設定された状態では、例えば図８（Ｃ）、図９（Ｅ）、図１１（Ｍ）（Ｎ）、図１２（Ｐ）、図１５（Ｂ）（Ｃ）、図１６（Ｆ）を参照して説明したように、国語ミニ辞書または英和ミニ辞書から読み出された説明情報を、タッチパネル式カラー表示部（メイン画面）１７に表示中の説明情報表示画面Ｇやブック／テキストビューア画面Ｇｖ上に、検索文字列を指定表示ｈさせたままの状態で開いたミニ辞書ウインドウＷｍに表示させる構成とした（ステップＳ３５〜Ｓ４９）。
【０２０３】
これに対し、例えば図１８（Ａ）（Ｂ）、図１８（Ｃ）（Ｄ）に示すように、ミニ辞書から読み出された説明情報を、手書き入力部（サブ画面）１６に表示中のこの時点では不要なジャンプモードアイコンＢＪと入れ替えて表示させることで、タッチパネル式カラー表示部（メイン画面）１７に表示中の説明情報表示画面Ｇやブック／テキストビューア画面Ｇｖにおける検索文字列を含んだ情報量を減らさずに確保する構成としても勿論よい。
【０２０４】
なお、例えば図１２（Ｑ）、図１６（Ｄ）を参照して説明したように、装置本体が縦置きに置き換えられた場合には、手書き入力部（サブ画面）１６の横方向の長さが短くなり、英語など横書きが必要な言語の表示が困難になるので、ミニ辞書から読み出された説明情報は、タッチパネル式カラー表示部（メイン画面）１７に表示中のブック／テキストビューア画面Ｇｖ上に、検索文字列を指定表示ｈさせたままの状態で開いた縦置き用ミニ辞書ウインドウＷｍｔによってのみ表示させる。
【０２０５】
図１８は、前記電子辞書装置１０の情報表示処理に伴うブック／テキストビューアモードからの変形例のジャンプ辞書検索に応じたタッチパネル式カラー表示部（メイン画面）１７および手書き入力部（サブ画面）１６の表示動作を示す図である。
【０２０６】
なお、前記実施形態において記載した電子辞書装置１０による各処理の手法およびデータベース、すなわち、図５のフローチャートに示す情報表示処理（その１）、図６のフローチャートに示す情報表示処理（その２）、図７のフローチャートに示す情報表示処理（その３）などの各手法、および辞書データベース２２ｂ〜２２ｅは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、メイン画面１７およびサブ画面１６を備えた電子機器のコンピュータは、この外部記憶媒体２３に記憶されたプログラムを記憶装置（２２）に読み込み、この読み込んだプログラムによって動作が制御されることにより、前記実施形態において説明したジャンプ検索を伴う情報表示機能を実現し、前述した手法による同様の処理を実行することができる。
【０２０７】
また、前記各手法を実現するためのプログラムのデータは、プログラムコードの形態としてネットワークＮ上を伝送させることができ、このプログラムデータを、ネットワークＮに接続されたコンピュータに通信制御部２５によって取り込むことで、前述したジャンプ検索を伴う情報表示機能を実現することもできる。
【０２０８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０２０９】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ（ＫＥ）…［訳／決定］キー
１４ｄ…［戻る／リスト］キー
１４ｅ…カーソルキー
１４ｆ（ＫＪ）…［ジャンプ］キー
１５  …スピーカ
１６  …手書き入力部（サブ画面）
１６ｄ…液晶表示画面
１６ｔ…透明タッチパネル
１７  …タッチパネル式カラー表示部（メイン画面）
１７ｄ…カラー液晶表示画面
１７ｔ…透明タッチパネル
１７Ａ…タッチキーエリア
１７Ｂ…タッチアイコンエリア
２１  …ＣＰＵ
２２  …メモリ
２２ａ…情報表示制御プログラム
２２ｂ…日本語系辞書データベース
２２ｃ…英語系辞書データベース
２２ｄ…中国語系辞書データベース
２２ｅ…ミニ辞書データベース
２２ｆ…ブックデータ
２２ｇ…テキストデータ
２２ｈ…ジャンプ先辞書テーブルメモリ
２２ｉ…前回ジャンプ辞書メモリ
２２ｊ…ジャンプモードメモリ
２３  …外部記憶媒体
２４  …記憶媒体読み書き部
２５  …通信制御部
２６  …加速度センサ
Ｇ    …説明情報表示画面
Ｇｖ  …ブック／テキストビューワ画面
Ｇｖｔ…縦置き用ブック／テキストビューワ画面
ＢＭ  …［マーカー］アイコン
ＢＴ  …［単語帳］アイコン
ＢＪ  …ジャンプモードアイコン
Ｂｂ  …［前回辞書］アイコン
Ｂｓ  …［辞書選択］アイコン
Ｂｍ  …［ミニ辞書］アイコン
Ｗｍ  …ミニ辞書ウインドウ
Ｗｍｔ…縦置き用ミニ辞書ウインドウ
Ｌｍ  …見出し語一覧エリア
Ｖｐ  …プレビューエリア
Ｌｄ  …ジャンプ先辞書一覧エリア
Ｎ    …［別候補］ボタン
Ｒ    …［スクロール］ボタン
Ｅ    …［閉じる］ボタン
Ｈ，ｈ…指定表示
Ｐ    …タッチペン
Ｃｕ  …カーソル
【図１】
2011134301.tif 000003
【図２】
2011134301.tif 000004
【図３】
2011134301.tif 000005
【図４】
2011134301.tif 000006
【図５】
2011134301.tif 000007
【図６】
2011134301.tif 000008
【図７】
2011134301.tif 000009
【図８】
2011134301.tif 000010
【図９】
2011134301.tif 000011
【図１０】
2011134301.tif 000012
【図１１】
2011134301.tif 000013
【図１２】
2011134301.tif 000014
【図１３】
2011134301.tif 000015
【図１４】
2011134301.tif 000016
【図１５】
2011134301.tif 000017
【図１６】
2011134301.tif 000018
【図１７】
2011134301.tif 000019
【図１８】
2011134301.tif 000020